(57)【要約】【課題】座席の昇降を行うリフトアップシートにおいて、安価に構成可能な外スライド機構を有するリフトアップシートを提供することを目的とする。【解決の手段】リフトアップシート１に、車体フロアに座席２を固定する車体取り付け部１Ｆと、車体取り付け部１Ｆに設けられる前後スライド部２Ｆと、前後スライド部２Ｆから回動自在に設けられる回転部３Ｆと、回転部３Ｆと車両室外座席２の下降位置の間で座席２を昇降させる昇降部４Ｆと、昇降部４Ｆから車両側方へ座席２を移動する外スライド部５Ｆを備え、外スライド部５Ｆに座席２を車両側方へ移動するためのスリッド２８と、昇降部４Ｆにスリッド２８に沿って移動するスライド機構１８を設ける。【選択図】図５
2011246104.tif 000002
【特許請求の範囲】
【請求項１】
車両に備える座席の昇降を行うリフトアップシートにおいて、
前記リフトアップシートは、前記座席を車体フロアに固定する車体取り付け部と、前記車体取り付け部に前後移動可能に設けられる前後スライド部と、前記前後スライド部から回動自在に設けられる回転部と、車両室内に備えられる前記回転部と車両室外の座席の下降位置との間で前記座席を昇降させる昇降部と、前記昇降部から車両側方へ移動する外スライド部を備え、
前記外スライド部は、
前記座席の側面を支持するサイドブラケットを有し、該サイドブラケットに車両側方へ座席を移動するためのスリッドを設け、
前記昇降部は、
前記座席の先端を支持する前方ブラケットを有し、該前方ブラケット上面に前記スリッドに沿って移動するスライド機構を設けることを特徴とするリフトアップシート。
【発明の詳細な説明】
【技術分野】
【０００１】
本発明は、福祉車両などに備える座席の昇降を行うためのリフトアップシートに関するものである。
【背景技術】
【０００２】
現在、福祉車両などに搭載され座席を昇降させるリフトアップシートにおいて、例えば、特許文献１のような「車両用シート」が提案されている。
この車両用シート（リフトアップシート）は、バックフレーム及びシートクッションフレームなどから成る座席と、座席を車両の進行方向と車両のドア開口方向で回動させる回転機構と、回転機構により回動された座席を車両室内と車両室外座席の下降位置との間で昇降させる昇降機構と、昇降機構により下降位置まで運ばれた座席を車両側方へ移動する外スライド機構を備える。ここで、外スライド機構は、座席を支持する外スライドベースにサイドフレームを有し、サイドフレームにレール及びスライダーを備える構造となっている。
【先行技術文献】
【特許文献】
【０００３】
【特許文献１】特開２００９−０７８６７８号
【発明の概要】
【発明が解決しようとする課題】
【０００４】
上記に示すリフトアップシートでは、外スライド機構により座席を車両側方へ移動させるためには、外スライド機構のサイドフレームに座席を車両側方へ水平移動させるためのレールとレールに摺動可能にスライダーを設ける必要がある。また、レールとスライダーが一体となっているシートレールをリフトアップシートに使用する場合は、高価なリフトアップシートになる。
本発明は、上記に示す課題を解決するためになされたものであり、安価に構成可能な外スライド機構を有するリフトアップシートを提供することを目的とする。
【課題を解決するための手段】
【０００５】
上記に示す課題を解決するために本発明のリフトアップシートは、車体フロアに座席を固定する車体取り付け部と、車体取り付け部に設けられる前後スライド部と、前後スライド部から回動自在に設けられる回転部と、回転部と車両室外座席の下降位置の間で座席を昇降させる昇降部と、昇降部から車両側方へ座席を移動する外スライド部を備え、外スライド部に座席を車両側方へ移動するためのスリッド、昇降部にスリッドに沿って移動するスライド機構を設けることを技術的特徴とする。
【発明の効果】
【０００６】
請求項１記載のリフトアップシートによれば、安価に構成可能で軽量なリフトアップシートを提供することが可能となる。
【図面の簡単な説明】
【０００７】
【図１】本発明のリフトアップシートを示す図である。
【図２】本発明の第三階層である回転部を示す図である。
【図３】本発明の第四階層である昇降部を示す図である。
【図４】本発明の第五階層である外スライド部を示す図である。
【図５】本発明の外スライド部の動作を示す図である。
【発明を実施するための最良の形態】
【０００８】
以下に本発明の実施形態について図を用いて説明する。
本実例におけるリフトアップシート１は、図１に示すように、第一階層から第五階層まで順に鉛直方向に積み重ねて構成され、シートクッション及びバックフレームから成る座席２を車両室内で前後移動し、車両室内と車両室外座席の下降位置との間で座席２の昇降動作を行う。
【０００９】
第一階層は、座席２を車体フロアに固定する車体取り付け部１Ｆであって、車体取り付け部１Ｆは、左右１対の直線状のレール３を車体フロア表面に敷設する。ここでレール３は、内部に座席２を前後移動させるためのねじ軸４とねじ軸４の動きを制限するナット５を備え、ねじ軸４を正回転または逆回転することにより、座席２をレール３に沿って前後方向に移動可能に構成する。
【００１０】
第二階層は、車体取り付け部１Ｆの上に設けられる前後スライド部２Ｆであって、前後スライド部２Ｆは、車体取り付け部１Ｆに備えるレール３内部のねじ軸４を回転させるモータ６と、後述する回転部３Ｆの回動動作を可能にするギヤ部７を有するプレート８を備える。ここで、前後スライド部２Ｆに備えるモータ６が駆動することにより、車体取り付け部１Ｆに備えるレール３内部のねじ軸４が回転し座席２が車両の前後方向に移動を行う構造とする。
【００１１】
第三階層は、前後スライド部２Ｆから回動自在な回転部３Ｆであって、回転部３Ｆは、後述する昇降部４Ｆ及び外スライド部５Ｆを支持する支持プレート９を備える。ここで、支持プレート９は、車両の進行方向に対し後方に、座席２を車両の進行方向から車両のドア方向の間で回動させるための大型モータ１０と大型モータ１０と連動して回転する回転軸１１を設け、車両の進行方向に対し上面側面付近に、昇降部４Ｆの昇降動作を補助するガイドレール１２を設け、車両の進行方向に対し左右両側面先端に昇降部４Ｆの昇降動作を補助するガイドローラ１３を設ける。
【００１２】
第四階層は、車両室内に備える回転部３Ｆと車両室外の座席２の下降位置の間で座席２を昇降動作させる昇降部４Ｆであって、座席２の先端を支持する前方ブラケット１４を回転部３Ｆの支持プレート９に有するガイドローラ１３付近に設け、座席２の後方を支持する後方ブラケット１５を車両の進行方向に対して左右後方に設け、前方ブラケット１４及び後方ブラケット１５に架渡されるようにリンクアーム１６を設けることでリンク機構を構成している。ここで、前方ブラケット１４は上面にベアリング１７を有するスライド機構１８を備え、後方ブラケット１５は、上面に回転部３Ｆに備えるガイドローラ１３に摺動する昇降部４Ｆの動作を規制するためのストッパー１９を備える。また、前方ブラケット１４及び後方ブラケット１５は左右を接続するように前方プレート２０及び後方プレート２１で結合されている。さらに、後方プレート２１は、下面中央付近に回転部３Ｆに備える回転軸１１と接続可能にナット部２２と、下面側面付近に回転部３Ｆに備えるガイドレール１２に摺動可能にスライダー２３と、上面側面付近に外スライド部を車両側方へ移動するためのナット部２４を設ける。
【００１３】
第五階層は、昇降部４Ｆにより車両室外の下降位置まで下降した座席２を車両側方へ移動する外スライド部５Ｆであって、左右一対のサイドブラケット２５を有し、昇降部４Ｆに備える後方プレート２１のナット部２４と接続する可能にねじ軸２６と、ねじ軸２６を回転させるモータ２７を設ける。ここで、サイドブラケット２５は、昇降部４Ｆに備える前方ブラケット１４に有するスライド機構１８が前後移動可能なようにスリッド２８が設けられている。また、外スライド部５Ｆに備えるモータ２７を駆動することでねじ軸２６が回転し昇降部４Ｆのナット部２４が外スライド部５Ｆを車両側方へ移動するように作用する。
【００１４】
次に、昇降部４Ｆの前方ブラケット１４に備えるスライド機構１８が、外スライド部５Ｆに備えるサイドブラケット２５のスリッド２８に沿って移動する動作について図１と図５を用いて説明する。
【００１５】
まず図１に示す状態において、リフトアップシート１は前後スライド部２Ｆに備えるモータ６を駆動することで、車体取り付け部１Ｆに敷設するレール３内部のねじ軸４を回転する。すると、前後スライド部２Ｆはレール３に沿って所定の位置まで移動する。
【００１６】
次に、回転部３Ｆに備える大型モータ１０が駆動を開始する。大型モータ１０が駆動することにより、回転部３Ｆと昇降部４Ｆと外スライド部５Ｆは、車両の進行方向からドアの開口部の方向へ回動動作を行う。ここで、回転部３Ｆに備える回転軸１１が回転することにより、昇降部４Ｆに備えるナット部２２が昇降部４Ｆを昇降動作するように作用し昇降動作を開始する。この時、昇降部４Ｆの前方ブラケット１４は、回転部３Ｆのガイドローラ１３を越えた位置に到達すると徐々に降下するため、座席２を先端から下降する。ここで、昇降部４Ｆが昇降動作を行うと同時に外スライド部５Ｆに備えるモータ２７が駆動し始めねじ軸２６を回転することで、図５のようにスライド部５Ｆを車両側方へ移動する。
【００１７】
この時、外スライド部５Ｆが車両側方へ移動する際、昇降部４Ｆに備えるスライド機構１８は、外スライド部５Ｆのサイドブラケット２５に有するスリッド２８に沿って座席２の前方から後方へ移動する。
【００１８】
よって、外スライド部５Ｆに備えるサイドブラケット２５にスリッド２８を設けることにより、外スライド部５Ｆにシートレールを組み込んだような構造とすることができ安価で軽量なリフトアップシート１を提供することができる。
【符号の説明】
【００１９】
１  リフトアップシート
２  座席
３  レール
４  ねじ軸
５  ナット
６  モータ
７  ギヤ部
８  プレート
９  支持プレート
１０  大型モータ
１１  回転軸
１２  ガイドレール
１３  ガイドローラ
１４  前方ブラケット
１５  後方ブラケット
１６  リンクアーム
１７  ベアリング
１８  スライド機構
１９  ストッパー
２０  前方プレート
２１  後方プレート
２２  ナット部
２３  スライダー
２４  ナット部
２５  サイドブラケット
２６  ねじ軸
２７  モータ
２８  スリッド
１Ｆ  車体取り付け部
２Ｆ  前後スライド部
３Ｆ  回転部
４Ｆ  昇降部
５Ｆ  外スライド部
【図１】
2011246104.tif 000003
【図２】
2011246104.tif 000004
【図３】
2011246104.tif 000005
【図４】
2011246104.tif 000006
【図５】
2011246104.tif 000007